(57)【特許請求の範囲】
【請求項１】
画像通信装置の使用者に関する情報である使用者情報と、発信人名称とが対応しているテーブルを登録するテーブル登録手段と；
ＩＤカードに記憶されている使用者情報から、上記使用者を識別する使用者識別手段と；
上記使用者識別手段が識別した使用者に基づいて、上記使用者に対応する発信人名称を、上記テーブル登録手段に登録されているテーブルから検出する発信人名称検出手段と；
上記発信人名称検出手段が検出した発信人名称を、送信すべき画像に付加する発信人名称付加手段であって、上記使用者識別手段が使用者を識別することができない場合、使用者が操作部を介して入力した発信人名称、または、使用者が操作部を介して選択した発信人名称を、送信すべき画像に付加する発信人名称付加手段と；
を有することを特徴とする画像通信装置。
【請求項２】
画像通信装置の使用者に関する情報である使用者情報と発信人名称とが記憶されている記憶媒体を、画像通信装置にセットする記憶媒体セット手段と；
上記セットされている記憶媒体に記憶されている使用者情報から、上記使用者を識別する使用者識別手段と；
上記セットされている記憶媒体に記憶されている使用者情報であって、上記使用者識別手段が識別した使用者情報に対応する発信人名称を、上記記憶媒体から検出する発信人名称検出手段と；
上記発信人名称検出手段が検出した発信人名称を、送信すべき画像に付加する発信人名称付加手段であって、上記使用者識別手段が使用者を識別することができない場合、使用者が操作部を介して入力した発信人名称、または、使用者が操作部を介して選択した発信人名称を、送信すべき画像に付加する発信人名称付加手段と；
を有することを特徴とする画像通信装置。
【請求項３】
請求項２において、
上記記憶媒体は、ＩＤカードであることを特徴とする画像通信装置。
【請求項４】
請求項１〜請求項３のいずれか１項において、
上記発信人名称付加手段は、上記送信すべき画像におけるヘッダ部分に、上記発信人名称を付加する手段であることを特徴とする画像通信装置。
【請求項５】
請求項１〜請求項４のいずれか１項において、
上記画像通信装置は、ファクシミリ装置であることを特徴とする画像通信装置。
【発明の詳細な説明】
【０００１】
【発明の属する技術分野】
本発明は、送信画像に発信人名称を付加するファクシミリ装置等の画像通信装置に関する。
【０００２】
【従来の技術】
従来、相手先ファクシミリ装置へ画像を送信する場合に、送信すべき画像に発信人名称を付加するファクシミリ装置が存在する。このファクシミリ装置から相手先ファクシミリ装置へ発信人名称を付加した画像を送信すれば、送信された画像が記録されている用紙に、発信人名称が記録されているので、この用紙を見た人が、画像送信した人を知ることができる。
【０００３】
たとえば、会社内に設置されているファクシミリ装置のように、複数の人に使用されるファクシミリ装置を考える。このファクシミリ装置から相手先ファクシミリ装置へ画像を送信する場合に、発信人名称を付加した画像を送信すれば、上記複数の人のうちのどの人が送信した画像であるのかを、この画像を受信した人がすぐに知ることができる。
【０００４】
上記会社内に設置されているファクシミリ装置において、上記複数の人のうちの全ての人が、自分の発信人名称を送信画像に付加できる場合を考える。この場合、上記複数の人のそれぞれの発信人名称を上記ファクシミリ装置に予め登録し、上記登録されている複数の発信人名称の中から、画像送信する人が、自分の発信人名称を選択する操作を実行し、通常の送信操作を実行する。
【０００５】
【発明が解決しようとする課題】
上記従来例において、ファクシミリ装置の使用者が、自分の発信人名称を付加して、画像を送信する場合に、送信画像に自分の発信人名称を付加する操作を上記使用者が行う必要があり、この自分の発信人名称を付加する操作が煩雑であるという問題がある。
【０００６】
本発明は、画像通信装置の使用者が、自分の発信人名称を付加して、画像を送信する場合に、送信画像に自分の発信人名称を付加する操作を上記使用者が行う必要がない画像通信装置を提供することを目的とするものである。
【０００７】
【発明が解決しようとする手段】
本発明は、画像通信装置の使用者に関する情報である使用者情報と発信人名称とが対応しているテーブルを登録するテーブル登録手段と、ＩＤカードに記憶されている使用者情報から、上記使用者を識別する使用者識別手段と、上記使用者識別手段が識別した使用者に基づいて、上記使用者に対応する発信人名称を、上記テーブル登録手段に登録されているテーブルから検出する発信人名称検出手段と、上記発信人名称検出手段が検出した発信人名称を、送信すべき画像に付加する発信人名称付加手段であって、上記使用者識別手段が使用者を識別することができない場合、使用者が操作部を介して入力した発信人名称、または、使用者が操作部を介して選択した発信人名称を、送信すべき画像に付加する発信人名称付加手段とを有する画像通信装置である。
【０００８】
また、本発明は、画像通信装置の使用者に関する情報である使用者情報と発信人名称とが記憶されている記憶媒体を、画像通信装置にセットする記憶媒体セット手段と、上記セットされている記憶媒体に記憶されている使用者情報から、上記使用者を識別する使用者識別手段と、上記セットされている記憶媒体に記憶されている使用者情報であって、上記使用者識別手段が識別した使用者情報に対応する発信人名称を、上記記憶媒体から検出する発信人名称検出手段と、上記発信人名称検出手段が検出した発信人名称を、送信すべき画像に付加する発信人名称付加手段であって、上記使用者識別手段が使用者を識別することができない場合、使用者が操作部を介して入力した発信人名称、または、使用者が操作部を介して選択した発信人名称を、送信すべき画像に付加する発信人名称付加手段とを有する画像通信装置である。
【０００９】
【発明の実施の形態および実施例】
図１は、本発明の一実施例であるデジタル複写機ＤＣ１の構成を示すブロック図である。
【００１０】
デジタル複写機ＤＣ１は、コピー機能と、ＦＡＸ機能と、プリンタ機能とを有する画像通信装置である。
【００１１】
また、デジタル複写機ＤＣ１は、コントロールカードに記憶されている情報から、デジタル複写機ＤＣ１の使用者を識別する画像通信装置である。コントロールカードは、デジタル複写機ＤＣ１の使用者に関するＩＤ情報等の情報が記憶されているＩＤカードである。なお、デジタル複写機ＤＣ１の使用を許可するための情報をコントロールカードに記憶させ、使用者がコントロールカードをデジタル複写機ＤＣ１にセットした場合にのみ、デジタル複写機ＤＣ１を使用することができるようにしてもよい。
【００１２】
デジタル複写機ＤＣ１は、ＣＰＵ１０と、メモリ１１と、メモリコントローラ１２と、ＦＡＸ制御部１３と、プリント制御部１４と、読取制御部１５と、コーデック１６と、操作部１７と、コントロールカード制御部１８とを有する。
【００１３】
ＣＰＵ１０は、メモリ１１に格納されている各種制御プログラムに基づいて、デジタル複写機ＤＣ１全体を制御する制御部である。
【００１４】
メモリ１１は、各種制御プログラムが格納されているメモリであって、様々なデータを蓄積するメモリである。また、メモリ１１は、デジタル複写機ＤＣ１の使用者に関する情報である使用者情報と、発信人名称とが対応しているテーブルを登録するメモリである。
【００１５】
たとえば、デジタル複写機ＤＣ１の使用者のうちの１人を「山田」とし、「山田」が送信画像に付加したい発信人名称を「営業部山田」とし、「山田」が持っているコントロールカードをコントロールカードＣＣ１とする。この場合に、「山田」に関するＩＤ情報をコントロールカードＣＣ１に記憶させ、また、「山田」に関する使用者情報と、「営業部山田」とが対応しているテーブルをメモリ１１に登録する。コントロールカードＣＣ１がデジタル複写機ＤＣ１にセットされると、コントロールカードＣＣ１に記憶されている「山田」に関するＩＤ情報から、デジタル複写機ＤＣ１が使用者として「山田」を識別する。
【００１６】
メモリコントローラ１２は、ＦＡＸ制御部１３とプリント制御部１４と読取制御部１５とのそれぞれからデータを受け取ると、受け取ったデータをコーデック１６に送るものである。また、メモリコントローラ１２は、圧縮されたデータをコーデック１６から受け取ると、受け取ったデータをメモリ１１のうちのどの領域に格納するかを割り振り、この割り振ったメモリ１１の領域へ上記受け取ったデータを送るものである。また、メモリコントローラ１２は、メモリ１１のそれぞれの領域からデータを受け取ると、受け取ったデータをコーデック１６へ渡し、また、伸長されたデータをコーデック１６から受け取ると、受け取ったデータに応じて、このデータをそれぞれの制御部へ送るものである。
【００１７】
ＦＡＸ制御部１３は、図示しないＦＡＸ部を制御するものであって、メモリコントローラ１２との間でデータのやりとりをするものである。
【００１８】
ＦＡＸ部は、ＦＡＸ制御部１３の制御に基づいて、発信人名称が付加された画像等をファクシミリ送信し、ファクシミリ受信した画像をＦＡＸ制御部１３へ出力するものである。
【００１９】
プリント制御部１４は、図示しないプリント部を制御するものであって、メモリコントローラ１２との間でデータのやりとりをするものである。
【００２０】
読取制御部１５は、図示しない読取部を制御するものであって、メモリコントローラ１２との間でデータのやりとりをするものである。
【００２１】
コーデック１６は、メモリコントローラ１２からデータを受け取ると、受け取ったデータを圧縮・伸長し、また、圧縮・伸長したデータをメモリコントローラ１２へ渡すコーデックである。
【００２２】
操作部１７は、液晶表示部と入力部とを有する。液晶表示部は、メモリコントローラ１２から入力されたデータに基づいて、ＦＡＸ状況、紙なし、インク切れ等を示す画像を表示する液晶表示部である。また、液晶表示部は、送信画像に付加する発信人名称等を表示する液晶表示部である。入力部は、上記使用者情報と、発信人名称とが対応しているテーブルをメモリ１１に登録する場合等における各種入力操作を行うものである。
【００２３】
コントロールカード制御部１８は、デジタル複写機ＤＣ１にセットされているコントロールカードに関する制御を行うものである。
【００２４】
次に、デジタル複写機ＤＣ１の動作を説明する。
【００２５】
図２は、デジタル複写機ＤＣ１の制御動作を示すフローチャートである。
【００２６】
上記実施例において、読取部が読み取った画像に発信人名称を付加し、発信人名称が付加された画像を、デジタル複写機ＤＣ１がファクシミリ送信する動作を説明する。
【００２７】
デジタル複写機ＤＣ１にコントロールカードがセットされると、セットされたコントロールカードに記憶されている情報から、使用者を識別する（Ｓ１）。デジタル複写機ＤＣ１が使用者を識別することができない場合に、読取部が読み取った画像に発信人名称を付加する場合、操作部１７から使用者が手動で発信人名称を入力する。使用者が手動で発信人名称を入力すれば、入力された発信人名称を検出する（Ｓ３）。また、デジタル複写機ＤＣ１に発信人名称が予め登録されている場合、この登録されている発信人名称の中から、使用者が手動で自分の発信人名称を選択し、選択された発信人名称を検出する（Ｓ３）。
【００２８】
使用者を識別することができれば（Ｓ１）、上記識別された使用者に基づいて、この使用者に対応する発信人名称を、メモリ１１に登録されているテーブルから検出する（Ｓ２）。たとえば、セットされたコントロールカードがコントロールカードＣＣ１であれば、使用者として「山田」を識別し、「山田」に関する使用者情報に対応する発信人名称である「営業部山田」を、メモリ１１に登録されているテーブルから検出する。
【００２９】
コントロールカードをセットした使用者が、原稿を読取部にセットし、操作部１７から送信先を指定し、送信することを選択すると、セットされた原稿を読取部が読み取る。続いて、読取部が読み取った画像におけるヘッダ部分に、上記検出した発信人名称を付加する（Ｓ４）。この発信人名称が付加された画像を、上記指定された送信先へファクシミリ送信する（Ｓ５）。
【００３０】
なお、上記実施例において、読取部が読み取った画像におけるヘッダ部分に、発信人名称を付加するが、読取部が読み取った画像におけるヘッダ部分以外の場所に発信人名称を付加するようにしてもよい。
【００３１】
また、上記実施例において、発信人名称を送信画像に付加するか否かを、デジタル複写機ＤＣ１の使用者が予め設定できるようにし、発信人名称を送信画像に付加する設定がされている場合に、上記制御動作を実行するようにしてもよい。
【００３２】
上記実施例において、デジタル複写機ＤＣ１の使用者に関する使用者情報と、発信人名称とが対応しているテーブルをメモリ１１に予め登録しておけば、使用者が自分の発信人名称を付加して画像を送信する場合に、自分の発信人名称を付加する操作を使用者が行う必要がないので、送信操作が容易である。
【００３３】
また、上記実施例において、デジタル複写機ＤＣ１の使用者に関する使用者情報と、発信人名称とが対応しているテーブルをメモリ１１に登録する代わりに、上記使用者情報と発信人名称とをコントロールカードに記憶させるようにしてもよい。この場合に、コントロールカードがデジタル複写機ＤＣ１にセットされると、セットされたコントロールカードに記憶されている使用者情報から、上記使用者を識別する。また、コントロールカードがデジタル複写機ＤＣ１にセットされると、セットされたコントロールカードに記憶されている発信人名称を検出し、検出した発信人名称を送信画像に付加する。
【００３４】
上記実施例において、上記使用者情報と発信人名称とをコントロールカードに記憶させれば、上記使用者情報と、発信人名称とが対応しているテーブルをメモリ１１に登録しなくてもよいので、このテーブルを登録するためのメモリ領域をメモリ１１に設ける必要がなく、メモリ１１を有効に利用することができる。
【００３５】
なお、メモリ１１は、画像通信装置の使用者に関する情報である使用者情報と、発信人名称とが対応しているテーブルを登録するテーブル登録手段の例であり、ＣＰＵ１０とメモリ１１とは、上記使用者を識別する使用者識別手段の例であり、ＣＰＵ１０とメモリ１１とは、上記識別した使用者に基づいて、上記使用者に対応する発信人名称を、メモリ１１に登録されているテーブルから検出する発信人名称検出手段の例であり、ＣＰＵ１０とメモリ１１とは、上記検出した発信人名称を、送信すべき画像に付加する発信人名称付加手段の例である。
【００３６】
なお、使用者のそれぞれに付与されるＩＤ番号、暗証番号等の使用者識別番号や使用者の指紋情報等を使用し、使用者を識別する画像通信装置に、上記実施例を適用するようにしてもよい。
【００３７】
また、使用者を識別する機能と、発信人名称を送信画像に付加する機能とを有するファクシミリ装置等の画像通信装置に、上記実施例を適用するようにしてもよい。
【００３８】
【発明の効果】
本発明によれば、画像通信装置の使用者が、自分の発信人名称を付加して、画像を送信する場合に、送信画像に自分の発信人名称を付加する操作を上記使用者が行う必要がないので、送信操作が容易であるという効果を奏する。また、本発明によれば、使用者情報を識別することができない場合でも、使用者が自分の発信人名称を入力、または、選択すれば、送信画像に自分の発信人名称を付加することができるという効果を奏する。
【図面の簡単な説明】
【図１】本発明の一実施例であるデジタル複写機ＤＣ１の構成を示すブロック図である。
【図２】デジタル複写機ＤＣ１の制御動作を示すフローチャートである。
【符号の説明】
ＤＣ１………デジタル複写機、
１０………ＣＰＵ、
１１………メモリ、
１２………メモリコントローラ、
１３………ＦＡＸ制御部、
１４………プリント制御部、
１５………読取制御部、
１６………コーデック、
１７………操作部、
１８………コントロールカード制御部。
【図１】
0003805234.tif 000002
【図２】
0003805234.tif 000003